(57)【要約】【課題】ユーザ側からメーカ側へ医薬品使用量等の情報がほぼリアルタイムに伝わり、医薬品の製造段階からの在庫管理が容易に行える医薬品の在庫管理システムを提供する。【解決手段】ユーザ端末１０Ａ、メーカ端末２０Ａ，３０Ａ、ユーザ及びメーカ在庫情報データベース４１，４２が格納されたサーバ４０Ａ、並びに各端末１０Ａ，２０Ａ，３０Ａ及びサーバ４０Ａを結ぶネットワーク６０を備え、ユーザ端末１０Ａが入力手段１０Ｅと入力された使用量データ等をネットワーク６０を介してサーバ４０Ａに送信する手段とを有し、サーバ４０Ａがデータを受信する手段と、受信データに基づきユーザ及びメーカ在庫情報データベース４１，４２を更新する手段と、受信データをネットワーク６０を介してメーカ端末２０Ａ，３０Ａに送信する手段とを有し、メーカ端末２０Ａ，３０Ａがデータを受信する手段と受信データを表示する手段２０Ｆ，３０Ｆとを有するシステム１。【選択図】図１
2008033611.tif 000002
【特許請求の範囲】
【請求項１】
医薬品ユーザに設置されたユーザ端末と、
医薬品メーカに設置されたメーカ端末と、
ユーザ在庫情報データベースおよびメーカ在庫情報データベースが格納された記憶手段を備えたサーバと、
少なくとも前記ユーザ端末、メーカ端末およびサーバを結ぶ通信ネットワークと、を備えて構成され、
前記ユーザ端末が、入力手段と、この入力手段から入力された医薬品使用量データおよび医薬品メーカデータ等を前記通信ネットワークを介して前記サーバに送る第１使用量データ等送信手段とを有し、
前記サーバが、前記第１使用量データ等送信手段から送られてきた医薬品使用量データ等を受信する第１使用量データ等受信手段と、受信した前記医薬品使用量データ等に基づいて前記ユーザ在庫情報データベースおよびメーカ在庫情報データベースを更新する更新手段と、受信した前記医薬品使用量データ等を前記通信ネットワークを介して前記メーカ端末に送信する第２使用量データ等送信手段とを有し、
前記メーカ端末が、前記第２使用量データ等送信手段から送られてきた前記医薬品使用量データ等を受信する第２使用量データ等受信手段と、受信した前記医薬品使用量データ等を表示する表示手段とを有することを特徴とする医薬品の在庫管理システム。
【請求項２】
医薬品ユーザに設置されたユーザ端末と、
医薬品メーカに設置されたメーカ端末と、
ユーザ在庫情報データベースおよびメーカ在庫情報データベースが格納された記憶手段を備えたサーバと、
少なくとも前記ユーザ端末、メーカ端末およびサーバを結ぶ通信ネットワークと、を備えて構成され、
前記ユーザ端末が、入力手段と、この入力手段から入力された医薬品使用量データおよび医薬品メーカデータ等を前記通信ネットワークを介して前記サーバに送る第１使用量データ等送信手段とを有し、
前記サーバが、前記第１使用量データ等送信手段から送られてきた医薬品使用量データ等を受信する第１使用量データ等受信手段と、受信した前記医薬品使用量データ等に基づいて前記ユーザ在庫情報データベースおよびメーカ在庫情報データベースを更新する更新手段と、受信した前記医薬品使用量データ等に基づいて医薬品メーカ用の出荷データを作成するメーカ用出荷データ作成手段と、作成したメーカ用出荷データを前記通信ネットワークを介して前記メーカ端末に送信する第１出荷データ送信手段とを有し、
前記メーカ端末が、前記第１出荷データ送信手段から送られてきた前記メーカ用出荷データを受信する第１出荷データ等受信手段と、受信した前記メーカ用出荷データを表示する表示手段とを有することを特徴とする医薬品の在庫管理システム。
【請求項３】
前記メーカ在庫情報データベースが、医薬品メーカごとの複数のデータベースから構成され、
前記更新手段が、受信した前記医薬品使用量データ等に基づいて前記ユーザ在庫情報データベースを更新する第１更新手段と、受信した医薬品使用量データ等に基づいて医薬品メーカを判定し、その判定結果に基づいて前記複数のデータベースのうち該当する前記医薬品メーカのデータベースを更新する第２更新手段とを有する請求項１または２記載の医薬品の在庫管理システム。
【請求項４】
医薬品卸または販売会社に設置され、前記通信ネットワークで結ばれる卸・販社端末をさらに備え、
前記メーカ端末が、受信した前記使用量データ等に基づいてまたは前記メーカ用出荷データに基づいて前記医薬品卸等への納品指示データを作成する納品指示データ作成手段と、作成した前記納品指示データを前記通信ネットワークを介して前記サーバへ送信する納品指示データ送信手段とを有し、
前記サーバが、前記記憶手段に格納された卸・販社在庫データベースと、前記納品指示データ送信手段から送られてきた前記納品指示データを受信する納品指示データ受信手段と、受信した前記納品指示データに基づいて前記卸・販社在庫データベースを更新する第３更新手段と、受信した前記納品指示データに基づいて卸・販社用の出荷データを作成する卸・販社出荷データ作成手段と、作成した前記卸・販社用出荷データを前記卸・販社端末に送信する第２出荷データ送信手段とを有し、
前記卸・販社端末が、前記第２出荷データ送信手段から送られてきた前記卸・販社用出荷データを受信する卸・販社用出荷データ受信手段を有する請求項１〜３のいずれか１項記載の医薬品の在庫管理システム。
【請求項５】
前記卸・販社端末が、受信した前記卸・販社用出荷データを記録媒体に印字する出荷データ出力手段を有する請求項４記載の医薬品の在庫管理システム。
【請求項６】
前記ユーザ端末が、前記入力手段から入力された前記医薬品使用量データ等に基づいてレセプト用および／または患者用の請求書ファイルを作成する請求書ファイル作成手段と、作成された前記請求書ファイルを記録媒体に印字する請求書出力手段とを有する請求項１〜５のいずれか１項記載の医薬品の在庫管理システム。
【請求項７】
前記ユーザ端末が、前記入力手段から入力された前記医薬品使用量データ等に基づいて前記医薬品メーカまたは医薬品卸もしくは販売会社からの納品書ファイルを作成する納品書ファイル作成手段と、作成された前記納品書ファイルを記録媒体に印字する納品書出力手段とを有する請求項１〜６のいずれか１項記載の医薬品の在庫管理システム。
【請求項８】
医薬品ユーザに設置されたユーザ端末と、
医薬品メーカに設置されたメーカ端末と、
ユーザ在庫情報データベースおよびメーカ在庫情報データベースが格納された記憶手段を備えたサーバと、
少なくとも前記ユーザ端末、メーカ端末およびサーバを結ぶ通信ネットワークと、を用いて実行される医薬品の在庫管理方法であって、
前記ユーザ端末が、医薬品使用量データおよび医薬品メーカデータ等を前記通信ネットワークを介して前記サーバに送信するステップと、
前記サーバが、前記医薬品使用量データ等を受信するステップと、受信した前記医薬品使用量データ等に基づいて前記ユーザ在庫情報データベースおよび前記メーカ在庫情報データベースを更新するステップと、受信した前記医薬品使用量データ等を前記通信ネットワークを介して前記メーカ端末に送信するステップとを有し、
前記メーカ端末が、前記医薬品使用量データ等を受信するステップと、受信した前記医薬品使用量データ等を表示するステップとを有することを特徴とする医薬品の在庫管理方法。
【請求項９】
医薬品ユーザに設置されたユーザ端末と、
医薬品メーカに設置されたメーカ端末と、
ユーザ在庫情報データベースおよびメーカ在庫情報データベースが格納された記憶手段を備えたサーバと、
少なくとも前記ユーザ端末、メーカ端末およびサーバを結ぶ通信ネットワークと、を用いて実行される医薬品の在庫管理方法であって、
前記ユーザ端末が、医薬品使用量データおよび医薬品メーカデータ等を前記通信ネットワークを介して前記サーバに送信するステップと、
前記サーバが、前記医薬品使用量データ等を受信するステップと、受信した前記医薬品使用量データ等に基づいて前記ユーザ在庫情報データベースおよび前記メーカ在庫情報データベースを更新するステップと、受信した前記医薬品使用量データ等に基づいて医薬品メーカ用の出荷データを作成するステップと、作成したメーカ用出荷データを前記通信ネットワークを介して前記メーカ端末に送信するステップとを有し、
前記メーカ端末が、前記メーカ用出荷データを受信するステップと、受信した前記メーカ用出荷データを表示するステップとを有することを特徴とする医薬品の在庫管理方法。
【請求項１０】
前記メーカ在庫情報データベースが、医薬品メーカごとの複数のデータベースから構成され、
前記更新ステップが、受信した前記医薬品使用量データ等に基づいて前記ユーザ在庫情報データベースを更新する第１更新ステップと、受信した前記医薬品使用量データ等に基づいて医薬品メーカを判定し、その判定結果に基づいて前記複数のデータベースのうち該当する前記医薬品メーカのデータベースを更新する第２更新ステップとから構成される請求項８または９記載の医薬品の在庫管理方法。
【請求項１１】
医薬品卸または販売会社に設置され、前記通信ネットワークで結ばれる卸・販社端末をさらに用い、
前記メーカ端末が、受信した前記使用量データ等に基づいてまたは前記メーカ用出荷データに基づいて前記医薬品卸等への納品指示データを作成するステップと、作成した前記納品指示データを前記通信ネットワークを介して前記サーバへ送信するステップとを有し、
前記サーバが、卸・販社在庫データベースがさらに格納された前記記憶手段を有するとともに、前記納品指示データを受信するステップと、受信した前記納品指示データに基づいて前記卸・販社在庫データベースを更新するステップと、受信した前記納品指示データに基づいて卸・販社用の出荷データを作成するステップと、作成した前記卸・販社用出荷データを前記卸・販社端末に送信するステップとを有し、
前記卸・販社端末が、送られてきた前記卸・販社用出荷データを受信するステップを有する請求項８〜１０のいずれか１項記載の医薬品の在庫管理方法。
【請求項１２】
前記卸・販社端末が、受信した前記卸・販社用出荷データを記録媒体に印字するステップを有する請求項１１記載の医薬品の在庫管理方法。
【請求項１３】
前記ユーザ端末が、前記医薬品使用量データ等に基づいてレセプト用または患者用の請求書ファイルを作成するステップと、作成された前記請求書ファイルデータを記録媒体に印字するステップとを有する請求項８〜１２のいずれか１項記載の医薬品の在庫管理方法。
【請求項１４】
前記ユーザ端末が、前記医薬品使用量データ等に基づいて前記医薬品メーカまたは医薬品卸もしくは販売会社からの納品書ファイルを作成するステップと、作成された前記納品書ファイルを記録媒体に印字するステップとを有する請求項８〜１３のいずれか１項記載の医薬品の在庫管理方法。
【発明の詳細な説明】
【技術分野】
【０００１】
本発明は、医薬品の在庫管理システムおよび医薬品の在庫管理方法に関する。
【背景技術】
【０００２】
高齢化社会を迎えるにあたり、国の医療費負担は増大するばかりであり、この増大する医療費を抑制するための施策として、医療用後発医薬品の使用が推進されている。
具体的な施策としては、「後発医薬品の処方に対する診療報酬加算」、「調剤薬局の薬剤師に対する、患者への後発医薬品の情報提供による報酬加算」や、ＤＰＣ（診断群分類）の導入などがあり、特に、ＤＰＣ導入によって、限られた金額の範囲内で治療を行うためには、安価な後発医薬品の使用が推奨される。
また、今般処方箋様式が変更されることとなり、患者は処方箋に後発医薬品の記載が無い場合でも、後発医薬品を選択することが可能になる。
これらの事情から、後発医薬品の需要は今後ますます増大していくことが予想される。
【０００３】
しかし、薬局側としては、患者に先発医薬品と後発医薬品とをそれぞれ提示し、患者の意思を確認する必要があるため手間がかかる上、常時、１つの医薬品について先発医薬品と後発医薬品の２種類以上を在庫として保管しておく必要が生じる。
すなわち、上述した処方箋様式の変更は、後発医薬品の使用推進にはつながるものの、薬局側としては、「薬剤在庫管理負担」、「保管場所の拡張」および「同種医薬品の管理負担」などが発生し、在庫スペースや人員確保の問題が生じる可能性がある。
【０００４】
このような薬局側における医薬品の在庫管理の負担を軽減するための在庫管理システムとして、薬局の在庫情報データベースが格納されたサーバ、薬局に設置された第１クライアント端末、および卸業者に設置された第２クライアント端末からなるクライアント−サーバシステムが開発されている（特許文献１参照）。
このシステムは、サーバが薬局の定めた薬品在庫数を下回らないかを常時監視し、設定個数を下回った場合には、サーバが自動的に発注データを作成するとともに、発注データ作成に関する情報が第１クライアント端末にフィードバックされ、この情報を確認した薬剤師等が第１クライアント端末にアクセスして発注データを確定させると、サーバは発注データを卸業者側の第２クライアント端末に送信し、これを受けた第２クライアント端末が受注処理を行うものである。
【０００５】
このシステムによれば、薬局側が、常時一定の在庫数を保管しておくことが容易になり、在庫管理の手間は大幅に削減される。
しかし、このシステムでは、卸業者が、使用されると否とに関わらず一定量以上の医薬品在庫を抱えておく必要がある。
また、薬品メーカは、ユーザにおける医薬品の使用量情報が不明なままであり、ユーザにおける医薬品の使用量とは無関係に製造スケジュール等を作成することになるため、医薬品の在庫不足や過剰在庫につながる可能性がある。
【０００６】
【特許文献１】特開２００６−４８５００号公報
【発明の開示】
【発明が解決しようとする課題】
【０００７】
本発明は、このような事情に鑑みてなされたものであり、医薬品ユーザ側から医薬品メーカ側へ医薬品使用量等の各種情報がほぼリアルタイムに伝わり、医薬品の製造段階からの在庫管理を容易に行うことができるだけでなく、薬局等の医薬品ユーザにおける医薬品在庫スペースを縮小化し得る医薬品の在庫管理システムおよび医薬品の在庫管理方法を提供することを目的とする。
【課題を解決するための手段】
【０００８】
上記課題を解決するために、本発明に係る医薬品の在庫管理システムは、医薬品ユーザに設置されたユーザ端末と、医薬品メーカに設置されたメーカ端末と、ユーザ在庫情報データベースおよびメーカ在庫情報データベースが格納された記憶手段を備えたサーバと、少なくともユーザ端末、メーカ端末およびサーバを結ぶ通信ネットワークと、を備えて構成され、ユーザ端末が、入力手段と、この入力手段から入力された医薬品使用量データおよび医薬品メーカデータ等を通信ネットワークを介してサーバに送る第１使用量データ等送信手段とを有し、サーバが、第１使用量データ等送信手段から送られてきた医薬品使用量データ等を受信する第１使用量データ等受信手段と、受信した医薬品使用量データ等に基づいてユーザ在庫情報データベースおよびメーカ在庫情報データベースを更新する更新手段と、受信した医薬品使用量データ等を通信ネットワークを介してメーカ端末に送信する第２使用量データ等送信手段とを有し、メーカ端末が、第２使用量データ等送信手段から送られてきた医薬品使用量データ等を受信する第２使用量データ等受信手段と、受信した医薬品使用量データ等を表示する表示手段とを有することを特徴とする。
【０００９】
このシステムによれば、調剤薬局や病院などの医薬品ユーザに設置されたユーザ端末から、使用した医薬品の使用量などの各種情報を入力するだけで、サーバのユーザ在庫情報データベースおよびメーカ在庫情報データベースが更新され、さらに上記医薬品の各種情報が、メーカ端末に送信され、これを受信したメーカ端末に上記情報が表示される。
したがって、医薬品ユーザでは、医薬品の在庫管理の手間が省ける。また、ユーザにおける使用量に基づいてメーカ在庫情報データベースが更新されるので、メーカにおいても使用量相当量を出荷する場合の在庫管理の手間が省ける。さらに、ユーザにおける医薬品使用量情報が、ほぼリアルタイムに医薬品メーカまで送信されるので、メーカが、ユーザでの医薬品使用量を容易に把握でき、製造計画などを立て易いというメリットがある。
【００１０】
本発明のシステムでは、ユーザ端末からの医薬品使用量データ等をサーバからメーカ端末へそのまま送信するだけでなく、サーバが、受信した医薬品使用量データ等に基づいて医薬品メーカ用の出荷データを作成するメーカ用出荷データ作成手段と、作成したメーカ用出荷データを通信ネットワークを介してメーカ端末に送信する第１出荷データ送信手段とを有し、メーカ端末が、第１出荷データ送信手段から送られてきたメーカ用出荷データを受信する第１出荷データ等受信手段と、受信したメーカ用出荷データを表示する表示手段とを有する構成とすることもできる。
このようにすれば、メーカにおいて、医薬品の使用量情報をリアルタイムで知ることができるだけでなく、出荷伝票ファイル形式等の出荷データとして情報を受け取ることができるため、メーカにおける医薬品の出荷管理が容易になるだけでなく、出荷伝票等の作成の手間も省ける。
【００１１】
また、本発明のシステム上には、複数の医薬品メーカが参加することも可能であり、この場合、メーカ在庫情報データベースは、複数の医薬品メーカが販売する全ての医薬品在庫情報を１つのデータベースとしてサーバの記憶手段に格納することもできるが、医薬品メーカごとのデータベースから構成することもできる。これにより、各医薬品メーカは、サーバ上で自己の販売する医薬品在庫状況の把握が容易になる。
メーカ在庫情報データベースを、医薬品メーカごとの複数のデータベースから構成した場合、上述した更新手段は、受信した医薬品使用量データおよび医薬品メーカデータ等に基づいてユーザ在庫情報データベースを更新する第１更新手段と、同じく受信したデータに基づいて、使用された医薬品がどの医薬品メーカのものかを判定し、その判定結果に基づいて複数のデータベースのうち該当する医薬品メーカのデータベースを更新する第２更新手段とを有するものとすることができる。
【００１２】
さらに、本発明のシステムでは、サーバが、受信した医薬品使用量データ等に基づいて医薬品メーカ用の出荷データを作成するメーカ用出荷データ作成手段と、作成したメーカ用出荷データをメーカ端末に送信する第１出荷データ送信手段とを有するものとし、さらにメーカ端末が、送られてきたメーカ用出荷データを受信するメーカ用出荷データ受信手段を有するものとすることが好適である。
このようにすれば、医薬品ユーザにおける医薬品使用量に応じた出荷データを、医薬品メーカで作成する手間が省けるだけでなく、医薬品ユーザにおける医薬品の使用とほぼ同時に、メーカに出荷データが送られることになるから、メーカは、出荷データに応じて直接医薬品ユーザに使用量に応じた量の医薬品を納品したり、医薬品卸や販売会社に使用量に応じた量の医薬品の納品指示を出したりすることが迅速にできるようになる。また、これにより、医薬品ユーザでは、即座に、使用した医薬品が同量納品されることになるから、在庫量を削減することが可能になる。
【００１３】
本発明のシステム上には、医薬品卸または販売会社（以下、医薬品卸・販社という）が参加することもできる。この場合、上述した通信ネットワークで結ばれる卸・販社端末を医薬品卸・販社に設置した上で、サーバの記憶手段に卸・販社在庫データベースをさらに格納させることが好ましい。
このようなシステムを構築した状態で、メーカ端末が、受信した医薬品使用量データ等や、メーカ用出荷データに基づいて医薬品卸・販社への納品指示データを作成する納品指示データ作成手段と、作成した納品指示データを通信ネットワークを介してサーバへ送信する納品指示データ送信手段とを有し、サーバが、送られてきた納品指示データを受信する納品指示データ受信手段と、受信した納品指示データに基づいて卸・販社在庫データベースを更新する第３更新手段と、受信した納品指示データに基づいて卸・販社用の出荷データを作成する卸・販社出荷データ作成手段と、作成した卸・販社用出荷データを卸・販社端末に送信する第２出荷データ送信手段と、卸・販社端末が、送られてきた前記卸・販社用出荷データを受信する卸・販社用出荷データ受信手段と、を有するものとすることが好適である。
【００１４】
これにより、メーカ端末から、メーカ用出荷データに基づいた納品指示データがサーバに送られ、さらにサーバからこの納品指示データが卸・販社用出荷データとして医薬品卸・販社端末へ送信されることになる。したがって、医薬品卸・販社は、卸・販社用出荷データに基づいて医薬品ユーザへ使用した医薬品を使用した量だけ即座に納入することができるようになる。一方、メーカでも、メーカ用出荷データに基づいて医薬品卸・販社への出荷作業をスムーズに行えるから、医薬品卸・販社においても医薬品ユーザに納品した医薬品を納品した量だけメーカから即座に供給されることになる。これにより、医薬品卸・販社における在庫スペースも削減することが可能になる。
さらに、医薬品ユーザからの医薬品の使用情報データに基づいて、サーバが卸・販社在庫データベースを更新するため、医薬品卸・販社でも在庫管理の手間が省ける。
【００１５】
なお、複数の卸・販社が本発明のシステムに参加することもでき、この場合、卸・販社在庫情報データベースも、メーカ在庫情報データベースと同様に、複数の卸・販社が販売する全ての医薬品在庫情報を１つのデータベースとしてサーバの記憶手段に格納することもできるが、卸・販社ごとのデータベースから構成することもできる。卸・販社ごとのデータベースから構成されている場合、サーバは、卸・販社の判定手段を備えるようにし、この判定に基づいて、卸・販社在庫情報データベースにおける該当する卸・販社のデータベースを更新するようにすればよい。
【００１６】
また、卸・販社端末が、受信した卸・販社用出荷データを記録媒体に印字する出荷データ出力手段を有するものとすることが好ましい。このようにすれば、出荷データが紙などの記録媒体に印字されるため、これを納品書として利用することが可能となり、医薬品卸・販社では納品書作成の手間を省くことができる。
さらに、ユーザ端末が、入力手段から入力された医薬品使用量データ等に基づいてレセプト用または患者用の請求書ファイルを作成する請求書ファイル作成手段と、作成された請求書ファイルデータを記録媒体に印字する請求書出力手段とを有するものとすることが好ましい。このようにすれば、使用量情報などを入力するだけで請求書が作成されることになるから、医薬品ユーザでは請求書作成の手間を省くことができる。
この際、サーバ側に、サーバの第２更新手段によって判定したメーカ情報を、ユーザ端末に送信するメーカ情報送信手段を設け、一方、ユーザ端末に、送られてきたメーカ情報を受信するメーカ情報受信手段を設け、入力された医薬品使用量データ等および受信したメーカ情報に基づいて請求書を作成するようにしてもよい。
【００１７】
そして、ユーザ端末が、入力手段から入力された医薬品使用量データ等に基づいて医薬品メーカまたは医薬品卸・販社からの納品書ファイルを作成する納品書ファイル作成手段と、作成された納品書ファイルを記録媒体に印字する納品書出力手段とを有するものとすることが好ましい。
このようにすれば、医薬品ユーザである薬局等に備えられている医薬品を、実質的に医薬品メーカや医薬品卸・販社の所有とし、使用した分量のみを薬局等に納品する、いわゆる「先用後利」の形態を採用することができるため、医薬品ユーザ側では、使用すると否とに関わらず、一定量の医薬品を購入しておく必要がなくなり、経済的に有利となる。
【００１８】
本発明に係る医薬品の在庫管理方法は、医薬品ユーザに設置されたユーザ端末と、医薬品メーカに設置されたメーカ端末と、ユーザ在庫情報データベースおよびメーカ在庫情報データベースが格納された記憶手段を備えたサーバと、少なくともユーザ端末、メーカ端末およびサーバを結ぶ通信ネットワークとを用いて実行されるもので、ユーザ端末が、医薬品使用量データ等を通信ネットワークを介してサーバに送信するステップと、サーバが、医薬品使用量データ等を受信するステップと、受信した医薬品使用量データ等に基づいてユーザ在庫情報データベースおよびメーカ在庫情報データベースを更新するステップと、受信した医薬品使用量データ等を通信ネットワークを介してメーカ端末に送信するステップとを有し、メーカ端末が、医薬品使用量データ等を受信するステップと、受信した医薬品使用量データ等を表示するステップとを有することを特徴とする。
【００１９】
この方法においても、ユーザ端末からの医薬品使用量データ等をサーバからメーカ端末へそのまま送信するだけでなく、サーバが、受信した医薬品使用量データ等に基づいて医薬品メーカ用の出荷データを作成するステップと、作成したメーカ用出荷データを通信ネットワークを介してメーカ端末に送信するステップとを有し、メーカ端末が、メーカ用出荷データを受信するステップと、受信したメーカ用出荷データを表示するステップとを有するものとすることもできる。
【００２０】
また、メーカ在庫情報データベースが、医薬品メーカごとの複数のデータベースから構成され、上述の更新ステップが、受信した医薬品使用量データ等に基づいてユーザ在庫情報データベースを更新する第１更新ステップと、医薬品使用量データ等に基づいて医薬品メーカを判定し、その判定結果に基づいて複数のデータベースのうち該当する医薬品メーカのデータベースを更新する第２更新ステップとから構成されるものとすることができる。
また、サーバが、受信した医薬品使用量データ等に基づいて医薬品メーカ用の出荷データを作成するステップと、作成したメーカ用出荷データをメーカ端末に送信するステップとを有し、メーカ端末が、送られてきたメーカ用出荷データを受信するステップと、を有するものとすることが好適である。
【００２１】
さらに、医薬品卸または販売会社に設置され、通信ネットワークで結ばれる卸・販社端末をさらに用いて、メーカ端末が、受信したメーカ用出荷データに基づいて医薬品卸等への納品指示データを作成するステップと、作成した納品指示データを通信ネットワークを介してサーバへ送信するステップとを有し、サーバが、卸・販社在庫データベースがさらに格納された記憶手段を有し、受信した納品指示データに基づいて卸・販社在庫データベースを更新するステップと、受信した納品指示データに基づいて卸・販社用の出荷データを作成するステップと、作成した卸・販社用出荷データを卸・販社端末に送信するステップとを有し、卸・販社端末が、送られてきた卸・販社用出荷データを受信するステップを有するものとすることができる。
この場合、卸・販社端末が、受信した卸・販社用出荷データを記録媒体に印字するステップを有することが好ましい。
【００２２】
また、ユーザ端末が、医薬品使用量データ等に基づいてレセプト用または患者用の請求書ファイルを作成するステップと、作成された請求書ファイルデータを記録媒体に印字するステップとを有するものが好適である。
さらに、ユーザ端末が、医薬品使用量データ等に基づいて医薬品メーカまたは医薬品卸・販社からの納品書ファイルを作成するステップと、作成された納品書ファイルを記録媒体に印字するステップとを有するものが好適である。
【００２３】
以上において、ユーザ端末、メーカ端末、卸・販社端末には、ワークステーション、パーソナルコンピュータ、携帯電話機、ＰＤＡなどの各種情報処理端末を使用することができる。
ユーザ端末を構成する入力手段には、キーボード、マウス、タッチパネル、バーコード読取装置などを使用することができる。
各種データベースが格納される記憶手段には、ハードディスクなどの磁気的に記録を実行する外部ストレージを使用することができる。なお、各データベースは、同一の記憶手段に格納されていてもよく、別々の記憶手段に格納されていてもよい。
通信ネットワークには、インターネット（パケット通信網を介するものでもよい）、専用回線、およびダイアルアップで接続可能な電話回線などのデータ送信可能な各種ネットワークを使用することができる。
各種送信手段および受信手段は、プログラムに従って動作する、各端末やサーバのＣＰＵ（制御部）およびネットワークインターフェースによって構成することができる。なお、同一の端末またはサーバに、複数の送信手段および受信手段がある場合、これらは同一のネットワークインターフェースによって実現できる。
各種更新手段は、プログラムに従って動作するサーバのＣＰＵ（制御部）によって構成することができる。
表示手段には、一般的なディスプレイ装置などを使用することができ、出力手段には、一般的なプリンタ装置などを使用することができる。
また、各種データ作成手段や、ファイル作成手段は、プログラムに従って動作する、各端末やサーバのＣＰＵ（制御部）によって構成することができる。
【発明の効果】
【００２４】
本発明の医薬品の在庫管理システムおよび在庫管理方法によれば、医薬品ユーザは、医薬品の使用量情報等を入力するだけで、サーバにおいてユーザ在庫データベースおよびメーカ在庫データベースが自動的に更新されるうえに、医薬品使用量情報等が医薬品メーカに、リアルタイムに送信されるため、ユーザは在庫管理の手間を大幅に削減できる。また、医薬品ユーザ側から医薬品メーカ側へ医薬品使用量等の各種情報がほぼリアルタイムに伝わることから、医薬品の製造段階からの在庫管理を容易に行うことができる。
【発明を実施するための最良の形態】
【００２５】
以下、図面を参照しつつ、本発明の実施の形態を説明する。
〔第１実施形態〕
［１］在庫管理システムのハードウェア構成
図１には、本発明の第１実施形態に係る医薬品の在庫管理システム１が示されている。
在庫管理システム１は、医薬品ユーザに設置されたユーザ端末１０Ａと、各医薬品メーカＡ，Ｂにそれぞれ設置されたメーカ端末２０Ａ，３０Ａと、システム管理会社に設置されたサーバ４０Ａと、卸・販社に設置された卸・販社端末５０Ａとを備えている。これらの各端末１０Ａ，２０Ａ，３０Ａ，５０Ａおよびサーバ４０Ａは、インターネット６０（通信ネットワーク）を介して相互に接続されている。
【００２６】
調剤薬局や病院などの医薬品ユーザでは、ユーザ端末１０Ａ、プリンタ１０Ｂ（出力手段）およびルータモデム１０Ｃがイーサネット（登録商標）ケーブル１０Ｄにより接続されてＬＡＮが構築されている。また、このＬＡＮはルータモデム１０Ｃを介してインターネット６０に常時接続されている。
本実施形態においては、ユーザ端末１０Ａは、入力手段であるキーボード１０Ｅ、表示手段であるディスプレイ１０Ｆおよび端末本体１０Ｇを備えたワークステーションやパーソナルコンピュータである。端末本体１０Ｇは、ＣＰＵ，ＲＡＭおよびＲＯＭなどから構成される制御部と、ネットワークインターフェースなどの通信手段（第１使用量データ等送信手段）と、ハードディスクなどの記憶手段（いずれも図示省略）と、を有している。この制御部は、ハードディスクに記憶されているプログラムを実行することにより通信手段を制御し、キーボード１０Ｅから入力された医薬品名、その使用量、メーカ名などの各種データをインターネット６０を介してサーバ４０Ａへ送信する。また、制御部は、同じくハードディスクに記憶されているプログラムを実行することにより、入力された使用量等のデータに基づいてレセプト用または患者用の請求書ファイルや、医薬品メーカまたは卸・販社からの納品書ファイルを作成し、作成したファイルデータをプリンタ１０Ｂから出力させる。
【００２７】
システム管理会社では、サーバ４０Ａおよびルータモデム４０Ｃがイーサネット（登録商標）ケーブル４０Ｄにより接続されてＬＡＮが構築されている。また、このＬＡＮはルータモデム４０Ｃを介してインターネット６０に常時接続されている。
サーバ４０Ａは、ＣＰＵ，ＲＡＭおよびＲＯＭなどから構成される制御部と、ネットワークインターフェースなどの通信手段（第１使用量データ等受信手段、メーカ用出荷データ受信手段、納品指示データ受信手段、第２使用量データ等送信手段、第１出荷データ送信手段、第２出荷データ送信手段を兼ねる）と、ハードディスクなどの記憶手段（いずれも図示省略）と、を有している。ハードディスクなどの記憶手段には、ユーザ在庫情報データベースである薬局データ４１、メーカ在庫データベースであるメーカデータ４２、および卸・販社在庫情報データベースである卸データ４３が格納されている。ここで、メーカデータ４２は、医薬品メーカＡ，Ｂのそれぞれの医薬品在庫情報が個別に記憶されたデータベース４２Ａ，Ｂから構成されている。
【００２８】
データベースの項目は、少なくとも医薬品の商品名、メーカ名および在庫数が存在すれば任意であり、必要に応じて有効成分表示、剤型、ロット、有効期間などの項目を付与してもよい。
各データベース４１，４２，４３は、必要に応じて各端末１０Ａ，２０Ａ，３０Ａ，５０Ａからサーバ４０Ａへインターネット６０を介してアクセスすることで、これらを参照したり、アップデートしたりすることができる。
【００２９】
サーバ４０Ａの制御部は、ハードディスクに記憶されているプログラムを実行することにより、通信手段を制御し、上述のユーザ端末１０Ａから送られてきた医薬品メーカ名や医薬品使用量等の各種データや、後述するメーカ端末２０Ａ，３０Ａからの納品指示データを受信し、かつ、納品指示データを卸・販社端末５０Ａへ送信する。
また、制御部は、サーバ４０Ａ全体を制御するとともに、受信したデータに基づいて薬局データ４１を更新（第１更新手段）し、受信したデータから医薬品メーカを判定し、判定結果に基づいて該当する医薬品メーカのメーカデータ４２を更新する（例えば、医薬品メーカＡの医薬品が使用されていればデータベース４２Ａを更新する）（第２更新手段）。さらに、制御部は、受信データに基づいて、例えば、医薬品名や出荷量等を含む出荷伝票ファイルデータなどの医薬品メーカ用の出荷データを作成（メーカ用出荷データ作成手段）し、これを該当するメーカ端末に送信（例えば、医薬品メーカＡの医薬品が使用されていれば、メーカ端末２０Ａに出荷データを送信する。）し、かつ、卸データ４３を更新（第３更新手段）し、卸・販社用の出荷データを作成（卸・販社用出荷データ作成手段）する。
【００３０】
医薬品メーカＡ，Ｂでは、それぞれメーカ端末２０Ａ，３０Ａ、およびルータモデム２０Ｃ，３０Ｃがイーサネット（登録商標）ケーブル２０Ｄ，３０Ｄにより接続されてＬＡＮが構築されている。また、これら各ＬＡＮは、ルータモデム２０Ｃ，３０Ｃを介してインターネット６０に常時接続されている。
本実施形態においては、メーカ端末２０Ａ，３０Ａは、入力手段であるキーボード２０Ｅ，３０Ｅ、表示手段であるディスプレイ２０Ｆ，３０Ｆおよび端末本体２０Ｇ，３０Ｇを備えたワークステーションやパーソナルコンピュータである。
【００３１】
端末本体２０Ｇ，３０Ｇは、ＣＰＵ，ＲＡＭおよびＲＯＭなどから構成される制御部と、ネットワークインターフェースなどの通信手段（第２使用量データ等受信手段、第１出荷データ受信手段、納品指示データ送信手段を兼ねる）と、ハードディスクなどの記憶手段（いずれも図示省略）と、を有している。この制御部は、ハードディスクに記憶されているプログラムを実行することにより通信手段を制御し、サーバ４０Ａから送られてきた出荷伝票ファイル等の出荷データを受信し、さらに後述の卸・販社への納品指示データをサーバ４０Ａに送信する。
また、制御部は、同じくハードディスクに記憶されているプログラムを実行することにより、受信した出荷伝票ファイル等の出荷データをディスプレイ２０Ｆ，３０Ｆで表示し、卸・販社へ納品指示を出すための、医薬品名や納品量等を含む納品指示データを作成（納品指示データ作成手段）する。
なお、メーカ端末２０Ａ，３０Ａには、直接またはＬＡＮを介してプリンタ等の出力手段が接続されていてもよい。このようにすれば、メーカ端末が出荷伝票ファイルデータを受信すると同時に、これをプリンタから出力するようにすることができ、出荷伝票差作成の自動化が可能となる。
【００３２】
卸・販社では、卸・販社端末５０Ａ、プリンタ５０Ｂ（出力手段）およびルータモデム５０Ｃがイーサネット（登録商標）ケーブル５０Ｄにより接続されてＬＡＮが構築されている。また、このＬＡＮは、ルータモデム５０Ｃを介してインターネット６０に常時接続されている。
本実施形態においては、卸・販社端末５０Ａは、入力手段であるキーボード５０Ｅ、表示手段であるディスプレイ５０Ｆおよび端末本体５０Ｇを備えたワークステーションやパーソナルコンピュータである。
端末本体５０Ｇは、ＣＰＵ，ＲＡＭおよびＲＯＭなどから構成される制御部と、ネットワークインターフェースなどの通信手段（卸・販社用出荷データ受信手段）と、ハードディスクなどの記憶手段（いずれも図示省略）と、を有している。この制御部は、ハードディスクに記憶されているプログラムを実行することにより通信手段を制御し、サーバ４０Ａから送られてきた出荷伝票ファイル等の出荷データを受信する。また、制御部は、同じくハードディスクに記憶されているプログラムを実行することにより、受信した卸・販社用の出荷データをディスプレイ５０Ｆにて表示するとともに、プリンタ５０Ｂから出力させる。
【００３３】
［２］在庫管理システムの処理手順
次に、以上のように構成された在庫管理システム１の処理について、図２のフローチャートを参照しながら説明する。
調剤薬局などの医薬品ユーザにおいて、患者に医薬品が調剤されると、薬剤師等の担当者によって、ユーザ端末１０Ａのキーボード１０Ｅから、調剤した医薬品名、調剤量（使用量）、メーカ名、ロットなどの必要情報（以下、使用量データ等という）が入力される（ステップＳ１）。
ユーザ端末１０Ａは、入力された使用量データ等を、イーサネット（登録商標）１０Ｄ、ルータモデム１０Ｃおよびインターネット６０を介してサーバ４０Ａに送信する（ステップＳ２）。また、ユーザ端末１０Ａは、レセプト用または患者用の請求書ファイルや、医薬品メーカや医薬品卸・販社への納品書ファイルを作成し（ステップＳ３）、作成したファイルデータをプリンタ１０Ｂから出力させる（ステップＳ４）。なお、本実施形態では、データ送信処理が先に実行されているが、キーボード１０Ｅから入力されたメーカ情報に基づいてレセプト用の請求書ファイルが作成される場合、データ送信処理と請求書ファイル作成処理との順序は任意である。
【００３４】
サーバ４０Ａは、上述のユーザ端末１０Ａから送られてきた使用量データ等を受信する（ステップＳ５）。そして、受信したデータに基づいて、まず薬局データ４１の在庫情報等を更新する（例えば、現在庫量から使用量を差し引く演算処理等を行う。以下同様）（ステップＳ６）。その後、送られてきたデータから医薬品メーカを判定し（ステップＳ７）、判定結果に基づいて該当する医薬品メーカのメーカデータ４２の在庫情報等を更新する（医薬品メーカＡの医薬品が使用されていればデータベース４２Ａを更新する）（ステップＳ８）。なお、本実施形態では、薬局データ４１の更新後にメーカデータ４２を更新しているが、各データベース４１，４２の更新処理は並列処理とすることもできる。
【００３５】
また、サーバ４０Ａは、受信したデータに基づいて医薬品メーカ用の出荷データを作成し（ステップＳ９）、これを該当するメーカ端末に送信する（例えば、医薬品メーカＡの医薬品が使用されていれば、メーカ端末２０Ａに送信する）（ステップＳ１０）。
メーカ端末２０Ａ，３０Ａは、サーバ４０Ａから送られてきた出荷伝票ファイル等の出荷データを受信し（ステップＳ１１）、ディスプレイ２０Ｆ，３０Ｆで表示する（ステップＳ１２）。
続いて、メーカ端末２０Ａ，３０Ａは、卸・販社へ納品指示を出すための、医薬品名や納品量等を含む納品指示データを作成し（ステップＳ１３）、このデータをインターネット６０を介してサーバ４０Ａへ送信する（ステップＳ１４）。
【００３６】
サーバ４０Ａは、メーカ端末２０Ａ，３０Ａからの納品指示データを受信する（ステップＳ１５）。そして、卸データ４３の在庫情報等を更新する（ステップＳ１６）とともに、医薬品名や納品量などを含む出荷伝票ファイルなどの卸・販社用出荷データを作成し（ステップＳ１７）、この出荷データを、インターネット６０を介して卸・販社端末５０Ａへ送信する（ステップＳ１８）。
卸・販社端末５０Ａは、サーバ４０Ａから送られてきた卸・販社用の出荷データを受信し（ステップＳ１９）、これをディスプレイ５０Ｆにて表示する（ステップＳ２０）とともに、プリンタ５０Ｂから出力させる（ステップＳ２１）。
【００３７】
〔第２実施形態〕
［１］在庫管理システムのハードウェア構成
図４には、本発明の第２実施形態に係る医薬品の在庫管理システム２が示されている。
在庫管理システム２においては、システム管理会社のサーバ４０Ａが、ハードディスクなどの記憶手段（図示省略）の中にユーザ在庫情報データベースである薬局データ４１、メーカ在庫データベースであるメーカデータ４２のみを格納し、卸・販社在庫データベースが格納されていない点でのみ、第１実施形態と相違する。したがって、上述の第１実施形態と同一のハードウェア構成については、同一符号を付すのみで、その具体的説明を省略する。
【００３８】
［２］在庫管理システムの処理手順
次に、以上のように構成された在庫管理システム２の処理について、図５のフローチャートを参照しながら説明する。
調剤薬局などの医薬品ユーザにおいて、患者に医薬品が調剤されると、薬剤師等の担当者によって、ユーザ端末１０Ａのキーボード１０Ｅから、調剤した医薬品名、調剤量（使用量）、メーカ名、ロットなどの必要情報（以下、使用量データ等という）が入力される（ステップＳ１）。
ユーザ端末１０Ａは、入力された使用量データ等を、イーサネット（登録商標）１０Ｄ、ルータモデム１０Ｃおよびインターネット６０を介してサーバ４０Ａに送信する（ステップＳ２）。また、ユーザ端末１０Ａは、レセプト用または患者用の請求書ファイルや、医薬品メーカや卸・販社への納品書ファイルを作成し（ステップＳ３）、作成したファイルデータをプリンタ１０Ｂから請求書として出力させる（ステップＳ４）。なお、本実施形態では、データ送信処理が先に実行されているが、キーボード１０Ｅから入力されたメーカ情報に基づいてレセプト用の請求書ファイルが作成される場合、データ送信処理と請求書ファイル作成処理との順序は任意である。
【００３９】
サーバ４０Ａは、上述のユーザ端末１０Ａから送られてきた使用量データ等を受信する（ステップＳ５）。そして、受信したデータに基づいて、まず薬局データ４１の在庫情報等を更新する（ステップＳ６）。その後、送られてきたデータから医薬品メーカを判定し（ステップＳ７）、判定結果に基づいて該当する医薬品メーカのメーカデータ４２の在庫情報等を更新する（医薬品メーカＡの医薬品が使用されていればデータベース４２Ａを更新する）（ステップＳ８）。なお、本実施形態でも、各データベース４１，４２の更新処理は並列処理とすることもできる。
【００４０】
また、サーバ４０Ａは、受信したデータに基づいて医薬品メーカ用の出荷データを作成し（ステップＳ９）、これを該当するメーカ端末に送信する（例えば、医薬品メーカＡの医薬品が使用されていれば、メーカ端末２０Ａに送信する）（ステップＳ１０）。
メーカ端末２０Ａ，３０Ａは、サーバ４０Ａから送られてきた出荷伝票ファイル等の出荷データを受信し（ステップＳ１１）、ディスプレイ２０Ｆ，３０Ｆで表示する（ステップＳ１２）。
【００４１】
続いて、メーカ端末２０Ａ，３０Ａは、卸・販社へ納品指示を出すための、医薬品名や納品量等を含む納品指示データを作成し（ステップＳ１３）、このデータをインターネット６０を介して卸・販社端末５０Ａへ送信する（ステップＳ１４）。
卸・販社端末５０Ａは、メーカ端末２０Ａ，３０Ａから送られてきた卸・販社用の出荷データを受信し（ステップＳ１９）、これをディスプレイ５０Ｆにて表示する（ステップＳ２０）とともに、プリンタ５０Ｂから納品書として出力させる（ステップＳ２１）。
なお、この場合、卸・販社在庫情報データベースを、卸・販社端末本体のハードディスク等の記憶手段に格納しておけば、卸・販社端末は、受信した卸・販社用の出荷データに基づいて、データベースを更新することもできる。
【００４２】
以上説明した在庫管理システム１によるデータの流れおよび製品の流れを図３に、在庫管理システム２によるデータの流れおよび製品の流れを図６に示す。
いずれのシステムにおいても、薬局で使用した医薬品名およびその調剤量などの必要情報がユーザ端末１０Ａから入力され、上記システムの一連の処理が実行されることにより、使用量等の情報が医薬品メーカおよび卸・販社にほぼリアルタイムに伝わり、卸・販社から使用した医薬品が使用した量だけ薬局に納入されることになる。また、卸・販社においても、薬局へ納入した医薬品が、納入した量だけメーカから即座に補充されることになる。
したがって、薬局および卸・販社は、在庫管理の手間が省けるうえに、常に膨大な在庫を抱える必要がなくなり、在庫スペースを縮小できるというメリットがある。
さらに、サーバにて、メーカ在庫データベースがほぼリアルタイムに更新されるため、メーカ自身も自己の在庫管理が容易に行えるだけでなく、在庫量をチェックしながら製造計画を立てることが容易になり、在庫不足や余剰在庫の問題を極力防止することができる。
また、薬局における入力操作のみで、使用した薬品およびその使用量に応じた請求書や納品書が自動的に作成されるため、薬局は卸・販社から、卸・販社はメーカからリアルタイムに薬品を購入でき、発注管理の手間が省けるというメリットもある。
【００４３】
なお、上記各実施形態において、サーバ４０Ａは、受信した使用量データから、メーカ用の出荷データを作成し、これをメーカ端末２０Ａ，３０Ａに送信していたが、図７のフローチャートに示されるように、受信した使用量データ等をそのままメーカ端末に送信してもよい（ステップＳ９’）。なお、この送信処理は、メーカ判定およびメーカデータ更新と並列処理とすることもできる。
また、上記各実施形態では、キーボード１０Ｅから入力されたメーカ情報をもとに、レセプト用の請求書ファイルを作成していたが、図８のフローチャートに示されるように、サーバで判定したメーカ情報をユーザ端末が受信し(ステップＳ２’)、このメーカ情報をもとに、ユーザ端末がレセプト用の請求書ファイルを作成するようにしてもよい。
【００４４】
上記各実施形態では、サーバ４０Ａがシステム管理会社に設置されていたが、これに限られず、医薬品ユーザや医薬品メーカに設置されていてもよい。
上記各実施形態では、医薬品ユーザ１社、医薬品メーカ２社、卸・販社１社でシステムを構築していたが、それぞれ任意の数だけシステムに参加することができる。なお、卸・販社が複数ある場合、第１実施形態における卸データは、それら複数社の個別のデータベースから構成されていてもよい。
その他、本発明の在庫管理システムのハードウェア構成は、上記各実施形態のものに限定されず、本発明を実施し得る限りにおいて適宜変更することができる。
【図面の簡単な説明】
【００４５】
【図１】本発明の第１実施形態に係る医薬品の在庫管理システムのハードウェア構成の概略図である。
【図２】第１実施形態に係るシステムにおける処理の流れを示すフローチャートである。
【図３】第１実施形態に係るシステムにおけるデータの流れおよび製品の流通を示すブロック図である。
【図４】本発明の第２実施形態に係る医薬品の在庫管理システムのハードウェア構成の概略図である。
【図５】第２実施形態に係るシステムにおける処理の流れを示すフローチャートである。
【図６】第２実施形態に係るシステムにおけるデータの流れおよび製品の流通を示すブロック図である。
【図７】第１変形例に係るシステムにおける処理の流れを示すフローチャートである。
【図８】第２変形例に係るシステムにおける処理の流れを示すフローチャートである。
【符号の説明】
【００４６】
１，２  医薬品の在庫管理システム
１０Ａ  ユーザ端末
１０Ｅ  キーボード（入力手段）
１０Ｂ  プリンタ（請求書出力手段）
２０Ａ，３０Ａ  メーカ端末
２０Ｆ，３０Ｆ  ディスプレイ（表示手段）
４０Ａ  サーバ
４１  薬局データ（ユーザ在庫情報データベース）
４２  メーカデータ（メーカ在庫情報データベース）
４３  卸データ（卸・販社在庫情報データベース）
５０Ａ  卸・販社端末
５０Ｂ  プリンタ（出荷データ出力手段）
６０  インターネット（通信ネットワーク）
【図１】
2008033611.tif 000003
【図２】
2008033611.tif 000004
【図３】
2008033611.tif 000005
【図４】
2008033611.tif 000006
【図５】
2008033611.tif 000007
【図６】
2008033611.tif 000008
【図７】
2008033611.tif 000009
【図８】
2008033611.tif 000010